(57)【特許請求の範囲】
【請求項１】
棒体支承部を設けた基体に抱持半体を設けて前記棒体支承部に当接せしめた棒体に前記抱持半体を被嵌して棒体を抱持固定する棒体抱持金具であって、前記基体の一端に前記抱持半体の基端を枢着し、この抱持半体の先端に係止体を設け、基体の他端に軸杆を横設し、ストッパー操作体を設け、このストッパー操作体に長孔を設け、この長孔に前記軸杆を嵌挿することでストッパー操作体を基体の他端に枢着し、このストッパー操作体に前記係止体に係止可能な係止部を設け、このストッパー操作体を回動操作し且つ軸杆に対してストッパー操作体を上方にスライド移動することで前記基体の他端からの突出量を大きくした際、前記係止部を前記係止体に係脱自在に係止できるように構成し、このストッパー操作体を前記係止体に前記係止部を係止した状態を保持した状態で回動操作し且つ軸杆に対してストッパー操作体を下方にスライド移動することで前記基体の他端部分にこのストッパー操作体を添設状態に回動配設し得るように構成して、前記棒体を前記基体の棒体支承部と抱持半体とで抱持した際、このストッパー操作体を基体の他端部分に添設状態に回動配設し且つこのストッパー操作体の回動によりストッパー操作体が軸杆に対してスライド移動して前記軸杆が前記長孔の一端に設けた軸杆係止部に係止することで前記係止部が前記係止体から係脱不能となり棒体が抱持固定され得るように構成し、前記棒体が抱持固定された状態において、前記ストッパー操作体の長孔から露出する基体にピン体を挿入するための挿入孔を設け、この挿入孔に前記ピン体を挿入することで前記ストッパー操作体の回動及びスライドを防止できるように構成したことを特徴とする棒体抱持金具。
【請求項２】
前記長孔に乗越部を設け、前記ストッパー操作体を前記基体の他端部分に添設状態に回動配設し且つこのストッパー操作体の回動によりストッパー操作体が軸杆に対してスライド移動して前記軸杆が前記長孔の一端に設けた前記軸杆係止部に係止する際、この乗越部を前記軸杆が乗り越えて前記軸杆係止部に係止するように構成したことを特徴とする請求項１記載の棒体抱持金具。
【請求項３】
前記長孔を途中で屈曲する長孔に構成し、この屈曲部を前記乗越部に設定したことを特徴とする請求項１記載の棒体抱持金具。
【請求項４】
前記係止体を舌片状に設け、前記係止部をこの舌片状の係止体に被嵌する形状に設け、この舌片状の係止体の上向き度合いを上下調整することで前記基体の棒体支承部と抱持半体とで前記棒体を抱持する力を増減する抱持力増減機構を有していることを特徴とする請求項１〜３のいずれか１項に記載の棒体抱持金具。
【請求項５】
前記基体に連結部を設けて請求項１〜４のいずれか１項に記載の棒体抱持金具を前記連結部で連結するとともにこの連結された棒体抱持金具同志が回動自在及び回動不能になるように構成し、棒体を交叉若しくは平行に連結して足場を形成する際、下記ａ及びｂの作業を連続的に行うことで足場を形成していくことを特徴とする足場形成方法。
記
ａ  ２本以上の棒体を交叉若しくは平行状態とし、この棒体同志を前記２つ以上連結され  た棒体抱持金具で一旦仮連結する。
ｂ  前記仮連結された棒体同志を公知の足場用棒体抱持金具で連結し、その後、棒体から  前記２つ以上連結された棒体抱持金具を取り外す。
【発明の詳細な説明】
【０００１】
【発明の属する技術分野】
本発明は、簡単な操作で確実に棒体を抱持固定できる棒体抱持金具及び足場形成方法に関するものである。
【０００２】
【従来の技術及び発明が解決しようとする課題】
工事現場などの危険地帯を区画し、この危険地帯に人や自転車などが侵入することを防止するため、２つ以上の下方が広がっている形状のバリケード体を並べ、この並列バリケード体を単管などの長い棒体で連結してバリケードを形成している。
【０００３】
ところで、バリケード体と棒体とを連結するためには、従来においては、ロープやワイヤーなどでバリケード体に棒体を縛り付ける方法や、ボルトナットによる締め付け作用を用いて棒体抱持体とバリケード体との間に棒体を抱持する方法が採用されていたが、いずれの方法も作業時間が掛かり、バリケードの組み立て作業を厄介なものにしている。更に、作業時間が掛かることによって人件費もかかってしまう。
【０００４】
一方、複数の棒体を交叉や平行状態に連結して足場を形成する場合には、１人が棒体を支持し、もう１人が足場用棒体抱持金具で棒体を固定するという作業形態が採用されている。これは、棒体同志を連結する足場用棒体抱持金具の操作が困難である為（安全の為に棒体を確実に抱持固定する必要があるため、必然的にボルト・ナットの回動操作等厄介な作業が必要となる。）、１人ではどうしても棒体を支持しながら足場用棒体抱持金具を操作するということができないためである。従って、この方法では人件費が２人分かかるという問題点がある。
【０００５】
更に、複数の棒体を連結して雪囲い等の骨組みを作る際には従来からロープやワイヤーなどで棒体を縛り付ける方法が採用されていたが、この場合も作業時間が掛かってしまう上、高所で作業する場合に作業に時間が掛かるようではそれだけ作業の危険性が高まることになり、問題であった。
【０００６】
また、足場を形成する際に使用される棒体抱持金具等、特に高い安全性が要求される棒体抱持金具には、棒体を抱持する状態を強固に維持する構成が要求されている。
【０００７】
本発明は、上記問題点を解決するもので、棒体を確実且つ極めて簡単な操作でスムーズに着脱することができ、しかも棒体を極めて強固に抱持することができる極めて実用性，作業性に秀れた棒体抱持金具及び足場形成方法を提供することを目的としている。
【０００８】
【課題を解決するための手段】
添付図面を参照して本発明の要旨を説明する。
【０００９】
棒体支承部１を設けた基体２に抱持半体３を設けて前記棒体支承部１に当接せしめた棒体４に前記抱持半体３を被嵌して棒体４を抱持固定する棒体抱持金具Ａであって、前記基体２の一端に前記抱持半体３の基端を枢着し、この抱持半体３の先端に係止体５を設け、基体２の他端に軸杆18を横設し、ストッパー操作体７を設け、このストッパー操作体７に長孔19を設け、この長孔19に前記軸杆18を嵌挿することでストッパー操作体７を基体２の他端に枢着し、このストッパー操作体７に前記係止体５に係止可能な係止部８を設け、このストッパー操作体７を回動操作し且つ軸杆18に対してストッパー操作体７を上方にスライド移動することで前記基体２の他端からの突出量を大きくした際、前記係止部８を前記係止体５に係脱自在に係止できるように構成し、このストッパー操作体７を前記係止体５に前記係止部８を係止した状態を保持した状態で回動操作し且つ軸杆18に対してストッパー操作体７を下方にスライド移動することで前記基体２の他端部分にこのストッパー操作体７を添設状態に回動配設し得るように構成して、前記棒体４を前記基体２の棒体支承部１と抱持半体３とで抱持した際、このストッパー操作体７を基体２の他端部分に添設状態に回動配設し且つこのストッパー操作体７の回動によりストッパー操作体７が軸杆18に対してスライド移動して前記軸杆18が前記長孔19の一端に設けた軸杆係止部20に係止することで前記係止部８が前記係止体５から係脱不能となり棒体４が抱持固定され得るように構成し、前記棒体４が抱持固定された状態において、前記ストッパー操作体７の長孔19から露出する基体２にピン体23を挿入するための挿入孔24を設け、この挿入孔24に前記ピン体23を挿入することで前記ストッパー操作体７の回動及びスライドを防止できるように構成したことを特徴とする棒体抱持金具に係るものである。
【００１０】
また、前記長孔19に乗越部21を設け、前記ストッパー操作体７を前記基体２の他端部分に添設状態に回動配設し且つこのストッパー操作体７の回動によりストッパー操作体７が軸杆18に対してスライド移動して前記軸杆18が前記長孔19の一端に設けた前記軸杆係止部20に係止する際、この乗越部21を前記軸杆18が乗り越えて前記軸杆係止部20に係止するように構成したことを特徴とする請求項１記載の棒体抱持金具に係るものである。
【００１１】
また、前記長孔19を途中で屈曲する長孔19に構成し、この屈曲部を前記乗越部21に設定したことを特徴とする請求項１記載の棒体抱持金具に係るものである。
【００１２】
また、前記係止体５を舌片状に設け、前記係止部８をこの舌片状の係止体５に被嵌する形状に設け、この舌片状の係止体５の上向き度合いを上下調整することで前記基体２の棒体支承部１と抱持半体３とで前記棒体４を抱持する力を増減する抱持力増減機構22を有していることを特徴とする請求項１〜３のいずれか１項に記載の棒体抱持金具に係るものである。
【００１３】
また、前記基体２に連結部12を設けて請求項１〜４のいずれか１項に記載の棒体抱持金具Ａを前記連結部12で連結するとともにこの連結された棒体抱持金具Ａ・Ａ同志が回動自在及び回動不能になるように構成し、棒体４を交叉若しくは平行に連結して足場を形成する際、下記ａ及びｂの作業を連続的に行うことで足場を形成していくことを特徴とする足場形成方法に係るものである。
記
ａ  ２本以上の棒体４を交叉若しくは平行状態とし、この棒体４同志を前記２つ以上連結  された棒体抱持金具Ａ・Ａで一旦仮連結する。
ｂ  前記仮連結された棒体４同志を公知の足場用棒体抱持金具で連結し、その後、棒体４  から前記２つ以上連結された棒体抱持金具Ａ・Ａを取り外す。
【００１４】
【発明の実施の形態】
好適と考える本発明の実施の形態（発明をどのように実施するか）を、図面に基づいてその作用効果を示して説明する。
【００１５】
棒体抱持金具Ａに棒体４を固定する際、先ず、棒体４を基体２の棒体支承部１に当接し、続いて、基体２の一端に枢着した抱持半体３を回動操作して前記棒体支承部１に載置した棒体４に被嵌する。
【００１６】
続いて、基体２の他端に枢着したストッパー操作体７を回動操作し、且つ、このストッパー操作体７を軸杆18に対して上方にスライド移動せしめて基体２の他端からの突出量を大きくし（この状態では、軸杆18が長孔19の下部側に位置することになる。）、このストッパー操作体７の係止部８を前記抱持半体３に設けた係止体５に係脱自在に係止できるようにする。
【００１７】
続いて、係止部８を係止体５に係止した状態を保持した状態でストッパー操作体７を基体２の他端部分に添設状態となるように回動操作し、且つ、このストッパー操作体７を軸杆18に沿って下方にスライド移動せしめて基体２の他端からの突出量を小さくし（この状態では、軸杆18が長孔19の上部側に位置することになる。）、更に、ストッパー操作体７を基体２の他端部分により一層添設させると、軸杆18が長孔19に設けられた軸杆係止部20に係止し、この係止が解除されない限り、前記ストッパー操作体７の軸杆18に対するスライド移動及び回動が不能となる。
【００１８】
この状態においては、前記ストッパー操作体７の突出量の減少により、係止部８が係止体５を押圧し、この係止体５に連設されている抱持半体３と基体２の棒体支承部１とで棒体４を抱持する。
【００１９】
即ち、棒体４は抱持半体３やストッパー操作体７の回動操作やストッパー操作体７のスライド移動という簡単な操作によって確実に棒体抱持金具Ａに抱持固定されることになる。
【００２０】
更に、ストッパー操作体７の長孔19から露出した基体２に形成された挿入孔24に対し、ピン体23を挿入配設することでストッパー操作体７の回動及びスライドが前記ピン体23によって阻止される。
【００２１】
即ち、挿入孔24に挿入配設されたピン体23によってストッパー操作体７の回動及びスライドを阻止することで、棒体４は棒体支承部１と抱持半体３とによって一層確実に棒体抱持金具Ａに抱持固定されることになる。
【００２２】
また、棒体抱持金具Ａから棒体４を取り外す際には、軸杆18に対するストッパー操作体７の回動操作により、軸杆18と軸杆係止部20との係止を解除し、更に、このストッパー操作体７を回動操作し、且つ、軸杆18に対してストッパー操作体７を上方にスライド移動することで、ストッパー操作体７基体２の他端からの突出量を大きくして係止部８を係止体５から係脱し、更に、この係止部８と係止体５との係止解除により回動自在になった抱持半体３を回動し、棒体支承部１から棒体４を取り外す。
【００２３】
【実施例】
本発明の具体的な実施例について図面に基づいて説明する。
【００２４】
図１〜図４を用いて第一構成例について説明する。
【００２５】
第一構成例は、棒体支承部１を設けた基体２に抱持半体３を設けて前記棒体支承部１に当接せしめた棒体４に前記抱持半体３を被嵌して棒体４を抱持固定する棒体抱持金具Ａであって、前記基体２の一端に前記抱持半体３の基端を枢着し、この抱持半体３の先端に係止体５を設け、基体２の他端に軸杆18を横設し、ストッパー操作体７を設け、このストッパー操作体７に長孔19を設け、この長孔19に前記軸杆18を嵌挿することでストッパー操作体７を基体２の他端に枢着し、このストッパー操作体７に前記係止体５に係止可能な係止部８を設け、このストッパー操作体７を回動操作し且つ軸杆18に対してストッパー操作体７を上方にスライド移動することで前記基体２の他端からの突出量を大きくした際、前記係止部８を前記係止体５に係脱自在に係止できるように構成し、このストッパー操作体７を前記係止体５に前記係止部８を係止した状態を保持した状態で回動操作し且つ軸杆18に対してストッパー操作体７を下方にスライド移動することで前記基体２の他端部分にこのストッパー操作体７を添設状態に回動配設し得るように構成して、前記棒体４を前記基体２の棒体支承部１と抱持半体３とで抱持した際、このストッパー操作体７を基体２の他端部分に添設状態に回動配設し且つこのストッパー操作体７の回動によりストッパー操作体７が軸杆18に対してスライド移動して前記軸杆18が前記長孔19の一端に設けた軸杆係止部20に係止することで前記係止部８が前記係止体５から係脱不能となり棒体４が抱持固定され得るように構成した棒体抱持金具Ａに係るものである。
【００２６】
長孔19には乗越部21を設けており、前記ストッパー操作体７を前記基体２の他端部分に添設状態に回動配設し且つこのストッパー操作体７の回動によりストッパー操作体７が軸杆18に対してスライド移動して前記軸杆18が前記長孔19の一端に設けた前記軸杆係止部20に係止する際、この乗越部21を前記軸杆18が乗り越えて前記軸杆係止部20に係止するように構成している。
【００２７】
従って、棒体抱持金具Ａに棒体４を抱持固定した状態において、抱持半体３が上方に回動しようとすると、この抱持半体３に係止部５及び係止体８を介して連結されているストッパー操作体７が前記軸杆18に沿って上方にスライド移動しようとすることになるが、この際、軸杆18が前記乗越部21を乗り越えなければならない為、この乗り越え力以上の力が抱持半体３に作用しない限り、抱持半体３が棒体４を抱持する状態が解除されないことになる。
【００２８】
また、この前記乗越部21は、前記長孔19を途中で屈曲する長孔19に構成し、この屈曲部を前記乗越部21に設定して設けている。
【００２９】
この長孔19の形状は、上方に行く程棒体４から離れる傾斜長孔部に構成され、この傾斜長孔19の途中に屈曲部が設けられ、この屈曲部より上方が前記傾斜長孔部より更に棒体４から離れる傾斜長孔部（水平長孔でも良い）に形成され、この傾斜長孔部の先端が前記軸杆係止部20に設定されている。
【００３０】
ストッパー操作体７は平断面視コ字状に形成されており、対向する遊離突片６・６間に横杆９が架設され、この横杆９が前記係止部８に設定されている。
【００３１】
また、この対向する遊離突片６・６に夫々前記長孔19を設けている。
【００３２】
基体２の他端部分には、前記ストッパー操作体７を基体２の他端部分に添設した際、ストッパー操作体７が被嵌される被嵌部15を設けている。従って、ストッパー操作体７の基体２の他端部分への添設作業は、このストッパー操作体７と被嵌部15との被嵌嵌合により回動がガイドされることになり、棒体４を抱持する際に最も重要なストッパー操作体７の最後の回動操作を確実に行えることになる。
【００３３】
また、この被嵌部15は、この被嵌部15に被嵌したストッパー操作体７及び前記係止部８が前記基体２の側面視の左右から突出しないように構成している。
【００３４】
抱持半体３に設けられる前記係止体５は舌片状に形成されており、この舌片状の係止体５に前記横杆９を押圧係止せしめることで係止体５と係止部８との係止を達成するように構成している。
【００３５】
この係止体５は、この舌片状の係止体５の上向き度合いを上下調整することで前記基体２の棒体支承部１と抱持半体３とで前記棒体４を抱持する力を増減する抱持力増減機構22にもなっている。具体的には、係止体５の上向き度合いを上方に調整すれば、ストッパー操作体７を下方へスライド移動して前記長孔19内で前記軸杆18が軸杆係止部20に位置する状態においてストッパー操作体７の係止部８が係止体５を強く押圧することになり、必然的に抱持半体３が棒体４を押圧する力も強くなり、棒体４が強固に抱持固定されることになる。また、係止体５の上向き度合いを下方に調整すれば、抱持半体３が棒体４を固定する力は弱くなる。
【００３６】
また、このストッパー操作体７の先端部には、前記基体２の他端部分に添設状態としたストッパー操作体７を回動操作する際、指を引っ掛けることができる指掛部16をストッパー操作体７の先端部を反り返らせる形状に設定して設けている。
【００３７】
また、抱持半体３の係止体５の先端は上方に反り返る形状に構成されており、この反返部が、係止体５への係止部８の係止が解除されることを防止する作用と、抱持半体３を回動操作する際の指掛部としての作用とを果たす。
【００３８】
尚、図示した棒体支承部１は棒体４の外周形状に略合致する円弧状に形成しているが、棒体支承部１と棒体４の摩擦係数などを考慮して棒体支承部１をギザギザ状に形成しても良い。また、全体は金属製である。
【００３９】
以下、第一構成例の使用方法について詳述する。
【００４０】
先ず、棒体支承部１に棒体４を載置し、一方、基体２の一端に枢着されている抱持半体３を回動操作して前記棒体４に抱持半体３を被嵌させる。
【００４１】
続いて、基体２に添設されているストッパー操作体７を上方へ回動操作し、且つ、このストッパー操作体７を上方へスライド移動せしめることで基体２の他端の突出量を大きくして係止部８（横杆９）を前記係止体５に係脱可能にし、この係止部８を係止体５に係止する（図３参照）。尚、この状態において、軸杆18は長孔19内の下方に位置することになる。
【００４２】
続いて、ストッパー操作体７を下方へ回動し、且つ、ストッパー操作体７を下方へスライド移動せしめることで基体２の他端の突出量を小さくして係止部８を前記係止体５に係脱可能にし、この係止部８を係止体５上に被嵌係止する（図３参照）。尚、この状態において、軸杆18は長孔19内の途中にして乗越部21の直前に位置することになる。
【００４３】
続いて、ストッパー操作体７を更に下方へ回動し、このストッパー操作体７の長孔19内の軸杆18が乗越部21を乗り越え、且つ、この軸杆18が軸杆係止部20に位置するようにする（図４参照）。このストッパー操作体７の操作により、前記係止体５上に被嵌係止していた係止部８が係止体５を強く押圧し（即ち、抱持半体３が棒体４を押圧する。）、この係止部８の押圧によって抱持半体３が回動操作不能となり、棒体４の固定作業が終了する。
【００４４】
このようにして、一旦、ストッパー操作体７により抱持半体３を回動操作不能にすると、例えば、不意に棒体４を上方に持ち上げる力が加えられてこの棒体４により抱持半体３が上方へ回動させられようとしても、抱持半体３の係止体５に係止された係止部８がストッパー操作体７を上方へ引っ張ろうとするが、ストッパー操作体７の長孔19内の軸杆18が軸杆係止部20に係止された状態が維持され、しかも、長孔19内の軸杆18が乗越部21を乗り越えなければストッパー操作体７はスライド移動及び上方への摺動ができず、よって、このストッパー操作体７の係止部８が係止体５を係止した状態を維持することになり、棒体４の抱持固定作用が維持されることになる。
【００４５】
また、棒体４の抱持固定を解除する際には、前記ストッパー操作体７を上方に回動して長孔19内の軸杆18が乗越部21を乗り越えるようにし、この操作によって係止部８と係止体５との押圧係止を解除する。
【００４６】
実験によれば、上記構成の棒体抱持金具Ａは、棒体４に８００ｋｇ以上の荷重が加わっても、ストッパー操作体７が回動したりせず、棒体４の抱持固定作用が維持されることが確認された。
【００４７】
第一構成例は上述のように構成したから、抱持半体３やストッパー操作体７を回動させたり、ストッパー操作体７をスライド移動したりするだけの簡単な操作によって棒体４を棒体抱持金具Ａにスムーズに固定することができ、しかも、ストッパー操作体７を回動したりスライド移動したりするだけで棒体４の取り外しも簡単且つスムーズに行うことができる実用性，作業性に秀れた棒体抱持金具となる。
【００４８】
また、長孔19内の軸杆係止部20に係止された状態の軸杆18が乗越部21を乗り越えない限りストッパー操作体７が回動したりスライド移動したりすることができないから、この棒体抱持金具Ａに固定された棒体４に荷重が作用しても、軸杆18が乗越部21を乗り越える力以下では前記固定が解除されないことになり、それだけ強固に棒体４を抱持固定できる実用性，安全性に秀れた棒体抱持金具となる。
【００４９】
また、抱持半体３は、係止体５などの構成部分を一体に設けることができるから、金属板からのプレス加工などの簡易な製造手段により棒体抱持金具Ａを製造することが可能な生産性に秀れた棒体抱持金具となる。
【００５０】
また、ストッパー操作体７の巾を添設する基体２の側面視における左右巾より巾狭く構成し、ストッパー操作体７及び係止部８が基体２の左右から突出しないように構成したから、誤ってこのストッパー操作体７に別の棒体や足などを引っ掛けたりしにくく、係止部８と係止体５との押圧係止が解除されて棒体抱持金具Ａに固定してある棒体４が外れてしまうことがなく確実に棒体抱持金具Ａに棒体４を固定することができるより一層実用性に秀れた棒体抱持金具となる。
【００５１】
図５を用いて第二構成例について説明する。
【００５２】
第二構成例は、第一構成例において使用した棒体抱持金具Ａの基体２に連結部（図示せず）を設けて２つの棒体抱持金具Ａ・Ａを連結部で連結するとともにこの連結された棒体抱持金具Ａ・Ａ同志が回動自在及び回動不能になるように構成し、棒体４を交叉若しくは平行に連結して足場を形成する際、例えば図示したように、２本の棒体４を交叉状態とし、この棒体４同志を前記２つ連結された棒体抱持金具Ａで一旦仮連結し、続いて、この仮連結した棒体４同志を公知の足場用棒体抱持金具で連結し、その後、この足場用棒体抱持金具で連結した棒体４から前記２つ連結された棒体抱持金具Ａ・Ａを取り外し、以下、この作業の繰り返しによって棒体４を連結して足場を形成する方法に係るものである。
【００５３】
連結部は、夫々の基体２・２の底部平面部に孔部を設け、２つの基体２・２の孔部の位置を合わせて孔部にボルトなどの螺子体を挿入し、このボルトにナットなどの螺着体を螺着して構成しており、このボルト・ナットを緩めると一方の棒体抱持金具Ａは他方の棒体抱持金具Ａに対して任意に回動自在となり、一方、ボルト・ナットを締めると一方の棒体抱持金具Ａは他方の棒体抱持金具Ａに対して回動不能となる。
【００５４】
尚、棒体抱持金具Ａ・Ａに抱持された棒体４に８００ｋｇｆ程度の荷重が作用しても、棒体抱持金具Ａ・Ａから棒体４が外れたりしないように設定する。
【００５５】
また、夫々の棒体抱持金具Ａに棒体４を着脱する方法については第一構成例と同様である。
【００５６】
従って、第二構成例は第一構成例と同様極めて簡単な操作でスムーズに２つの棒体４の取り付け，取り外しが行える上、２つの棒体４の取り付け角度に応じて棒体抱持金具Ａ・Ａの回動角度を調整して棒体４同志を連結固定できる為、棒体４を交叉若しくは平行状態で連結して足場を形成する際、作業者が１人でも片手で棒体４を支持しながらもう片手で棒体抱持金具Ａ・Ａを操作して棒体４同志を仮連結し、続いて、この仮連結された棒体４を公知の足場用棒体抱持金具を両手で操作して連結することにより１人でも簡単に棒体４を連結していくことができる実用性に秀れた足場形成方法となる。
【００５７】
また、棒体抱持金具Ａの棒体４を抱持する力が強力な為、この仮連結用の棒体抱持金具Ａ・Ａをそのまま足場用棒体抱持金具とすることもできる実用性に秀れた足場形成方法となる。
【００５８】
尚、連結する棒体抱持金具Ａは２つでなくとも、連結しようとする棒体４の本数によって例えば３つ等でも良い。
【００５９】
また、この２つ以上連結された棒体抱持金具Ａ・Ａは、例えば複数の棒体４を平行或いは交叉状態に連結して雪囲い等の組体を作る際にも使用することができ、例えば、基体２の底部に設けた連結部によって２つの棒体抱持金具Ａ・Ａを連結し、この連結した２つの棒体抱持金具Ａ・Ａの一方の棒体抱持金具Ａを地面から立設した棒体４に固定し、続いて、地面と平行の棒体４を他方の棒体抱持金具Ａで固定できるように棒体抱持金具Ａを回動操作し、この棒体抱持金具Ａに棒体４を固定し、以下、順次棒体４・４同志の交叉部において棒体抱持金具Ａ・Ａに棒体４・４を固定して雪囲いを作ることができる。
【００６０】
即ち、第二構成例において使用した２つ連結された棒体抱持金具Ａ・Ａは、２つの棒体抱持金具Ａ・Ａの連結角度を所望の角度に調整して平行状態の棒体４や交叉状態の棒体４を夫々棒体抱持金具Ａ・Ａに固定することができ、この棒体４の固定作業もストッパー操作体７の回動やスライド移動によってワンタッチで行うことができ、例えば足場や雪囲い等を作る場合には、従来の公知の足場用棒体抱持金具やロープやワイヤーなどで棒体４を縛り付ける方法に比べ極めてスムーズに組み立て作業を行うことができて作業時間も大幅に短縮できることとなり、よって、高所で作業する場合にも簡単に作業できるから安全に作業を行えることになる実用性，作業性，作業コスト安に秀れた棒体抱持金具となる。
【００６１】
また、その余は第一構成例と同様である。
【００６２】
尚、連結部はボルト・ナットによって止着する構成に限らず、例えばリベット等で軸着しても良いし、基体２の底部平面部に係合部を設けたものと係止部を設けたものとを別体に作成し、これらを係合して回動自在及び回動不能にできるように構成しても良い。
【００６３】
図６を用いて第三構成例について説明する。
【００６４】
第三構成例は、第一構成例の棒体抱持金具Ａを用い、この棒体抱持金具Ａを工事現場などの危険地帯を区画するために棒体４によって連結されるバリケード体Ｂに付設されており、この棒体抱持金具Ａ付バリケード体Ｂは下方程巾広く斜設した脚体13により形成し、この脚体13間に横桟14を配設し、この横桟14に連結部12を介して棒体抱持金具Ａを連結して左右回動自在に構成したものである。
【００６５】
また、図中符号11は、夜間などにおいて発光し、バリケード体Ｂを目立たせるための照明部である。
【００６６】
第三構成例は上述のように、バリケード体Ｂに前記棒体抱持金具Ａを付設したから、前記第一構成例と同様に棒体４をスムーズに棒体抱持金具Ａ（即ち、バリケード体Ｂ）に固定することができ、棒体４の取り外しも簡単且つスムーズに行うことができる実用性，作業性，作業コスト安に秀れた棒体抱持金具付バリケード体となる。
【００６７】
また、バリケード体Ｂを下方程巾広く斜設した脚体13間に横桟14を配設した構成とし、この横桟14に前記棒体抱持金具Ａの基体２を設けたから、棒体抱持金具Ａが脚体13や横桟14によって保護され、工事現場作業においても不意にストッパー操作体７等に回動作用が加えられたりせず、より一層確実に棒体４が棒体抱持金具Ａ（棒体抱持金具Ａ付バリケード体Ｂ）に固定されることになり、必然的に棒体４で連結されたバリケードＢが分解したりせず安定状態で立設されることになるより一層実用性に秀れた棒体抱持金具付バリケード体となる。
【００６８】
また、棒体抱持金具Ａをバリケード体Ｂに対して左右回動自在に構成しているから、地面に凹凸がある場合など、バリケード体Ｂと棒体４とを交叉にできないときにも棒体抱持金具Ａの回動で調節することによりバリケード体Ｂの脚体13が地面から浮いたりせず安定状態でバリケードを設置することができるより一層実用性に秀れた棒体抱持金具付バリケード体となる。
【００６９】
尚、棒体４に付設するバリケード体Ｂは２個以上であれば幾つでも良い。また、バリケード体Ｂに２個以上の棒体抱持金具Ａを付設し、棒体抱持金具Ａ付バリケード体Ｂを連結する棒体４を２本，３本と増やすことにより形成されるバリケードをより一層強固なものとしても良い。
【００７０】
図７，８を用いて本発明の実施例である第四実施例について説明する。
【００７１】
第四実施例は第一構成例の別例であり、ストッパー操作体７の操作によって棒体４を抱持固定した際、長孔19から露出する基体２の被嵌部15にピン体23を挿入し得る挿入孔24を設けたものである。
【００７２】
即ち、この構成によれば、ストッパー操作体７を操作して棒体４を抱持固定した後、挿入孔24にピン体23を挿入することで、ストッパー操作体７の回動及びスライドを防止することができ、棒体４がより一層確実に固定されることになる。
【００７３】
また、図示したように、長孔19にして軸杆係止部20の他端となる位置に挿入孔24を設ければ、挿入孔24に挿入されたピン体23が長孔19の他端に当接し、且つ軸杆18が長孔19の軸杆係止部20に係止するから、ストッパー操作体７の回動及びスライドを確実に阻止することができる。
【００７４】
また、第四実施例は、指掛部16に相当する操作部17をストッパー操作体７の上方に設け、この操作部17の操作によって、ストッパー操作体７を下方へスライドさせた際、抱持半体３が棒体４を押圧して棒体４を抱持固定し、且つ、操作部17を棒体４側へ押圧することでストッパー操作体７を回動させた際、抱持半体３の棒体４への押圧を解除するように構成している。
【００７５】
即ち、第四実施例は、ストッパー操作体７の操作部17を基体２側でなく抱持半体３側に設けている為、ストッパー操作体７の下端を基体２の下面より下方に突出させない構成とすることができ、従って、前記棒体抱持金具Ａ同志を連結させる使用方法、棒体抱持金具Ａをバリケード体Ｂに取り付ける使用方法等を操作部17に邪魔されずに良好に実施できることになる。
【００７６】
尚、その余は第一構成例と同様である。
【００７７】
【発明の効果】
本発明は上述のように構成したから、ストッパー操作体を回動操作したりスライド操作したりする簡単な操作で棒体を棒体抱持金具に確実且つスムーズに固定したり取り外したりすることができる実用性，作業性に秀れた棒体抱持金具となる。
【００７８】
更に、棒体を抱持した状態において、長孔を介して基体にピン体を挿入することで、このピン体によってストッパー操作体が回動したりスライド移動したりすることを阻止できるから、棒体を極めて強固に抱持固定保持することができる実用性に秀れた棒体抱持金具となる。
【００７９】
請求項２記載の発明においては、棒体を抱持した状態において、長孔内の軸杆係止部から軸杆が移動する為には乗越部を乗り越えなければならないから、それだけより一層確実に棒体を強固に抱持固定することができる実用性に秀れた棒体抱持金具となる。
【００８０】
請求項３記載の発明においては、長孔に屈曲部を設けて乗越部としているから、乗越部の形成が容易で、しかも、乗越部の近傍であっても長孔の巾を軸杆の径と略同一にすることができる実用性，生産性に秀れた棒体抱持金具となる。
【００８１】
請求項４記載の発明においては、舌片状の係止体の上向き度合いを調整することにより、抱持半体が棒体を押圧する力を増減することができ、使用現場でも棒体を抱持固定する力を適正に調整することができる実用性にに秀れた棒体抱持金具となる。
【００８２】
請求項５記載の発明においては、簡単な操作によって棒体を抱持することができる棒体抱持金具を使用することにより、足場を形成する際に１人での作業で棒体を仮連結することができ、続いて、この仮連結された棒体を正規の足場用棒体抱持金具で固定することにより、両手で足場用棒体抱持金具を操作することができるから一人での作業で足場を形成する為の棒体の連結作業を全て行えることになる極めて実用性，作業性，作業コスト安に秀れた足場形成方法となる。
【図面の簡単な説明】
【図１】第一構成例の説明斜視図である。
【図２】第一構成例の使用方法を示す説明側断面図である。
【図３】第一構成例の使用方法を示す説明側断面図である。
【図４】第一構成例の使用方法を示す説明側断面図である。
【図５】第二構成例の説明斜視図である。
【図６】第三構成例の説明正面図である。
【図７】第四実施例の説明側面図である。
【図８】第四実施例の説明側面図である。
【符号の説明】
１  棒体支承部
２  基体
３  抱持半体
４  棒体
５  係止体
７  ストッパー操作体
８  係止部
12  連結部
18  軸杆
19  長孔
20  軸杆係止部
21  乗越部
22 抱持力増減機構
23 ピン体
24 挿入孔
Ａ  棒体抱持金具
【図１】
0003554272.tif 000002
【図２】
0003554272.tif 000003
【図３】
0003554272.tif 000004
【図４】
0003554272.tif 000005
【図５】
0003554272.tif 000006
【図６】
0003554272.tif 000007
【図７】
0003554272.tif 000008
【図８】
0003554272.tif 000009